(57)【要約】      （修正有）【課題】複数のヌメロロジを使用する無線通信システムにおいて、制御チャネルを受信するための方法を提供する。【解決手段】ユーザ機器（ＵＥ）は、制御チャネルを受信するための第１のヌメロロジを使用することを設定する。ＵＥは、第１のデータチャネルを受信するための第２のヌメロロジを使用することに関する情報を受信する。ＵＥは、第１のヌメロロジを使用して制御チャネルを受信し、第２のヌメロロジを使用して第１のデータチャネルを受信する。【選択図】図３
2018061247.tif 000002
【特許請求の範囲】
【請求項１】
ユーザ機器（ＵＥ）によって、制御チャネルを受信するための第１のヌメロロジを使用することを設定するステップと、
前記ＵＥによって、第１のデータチャネルを受信するための第２のヌメロロジを使用することに関する情報を受信するステップと、
前記ＵＥによって、前記第１のヌメロロジを使用して前記制御チャネルを受信し、前記ＵＥによって、前記第２のヌメロロジを使用して前記第１のデータチャネルを受信するステップと、を含む方法。
【請求項２】
前記第１のヌメロロジは、予め定義されたヌメロロジである、請求項１に記載の方法。
【請求項３】
前記ＵＥは、前記第１のヌメロロジを使用して第２のデータチャネルを受信する、請求項１に記載の方法。
【請求項４】
前記第２のデータチャネルは、共通データチャネル又はブロードキャストチャネルである、請求項３に記載の方法。
【請求項５】
前記第１のデータチャネルは、ユニキャストデータ用である、請求項１に記載の方法。
【請求項６】
前記制御チャネルは、前記第１のデータチャネルをスケジューリングする、請求項１に記載の方法。
【請求項７】
前記第２のヌメロロジは、無線リソース制御（ＲＲＣ）メッセージによって設定される、請求項１に記載の方法。
【請求項８】
前記制御チャネル及び前記第１のデータチャネルは、同じセル内にある、請求項１に記載の方法。
【請求項９】
前記第２のヌメロロジは、前記制御チャネルによって指示される、請求項１に記載の方法。
【請求項１０】
前記第２のヌメロロジは、異なる時間間隔に対して異なる、請求項１に記載の方法。
【請求項１１】
第１のＵＥによって、第１の帯域幅部分内で第１のヌメロロジを使用して第１の下り（ＤＬ）データチャネルを受信するステップと、
前記第１のＵＥによって、第２の帯域幅部分内で、前記第１のＤＬデータチャネル内のデータに対応するハイブリッド自動再送要求（ＨＡＲＱ）フィードバックを第２のヌメロロジを使用して送信するステップと、を含む方法。
【請求項１２】
前記第２の帯域幅部分は、前記第１の帯域幅部分内に位置する、請求項１１に記載の方法。
【請求項１３】
前記第１のヌメロロジと前記第２のヌメロロジは同じである、請求項１１に記載の方法。
【請求項１４】
第２のＵＥによって、前記第１の帯域幅部分内で前記第１のヌメロロジを使用して第２のＤＬデータチャネルを受信するステップと、
前記第２のＵＥによって、第３の帯域幅部分内で、前記第２のＤＬデータチャネル内のデータに対応するＨＡＲＱフィードバックを第３のヌメロロジを使用して送信するステップと、をさらに含む、請求項１１に記載の方法。
【請求項１５】
前記第２の帯域幅部分と前記第３の帯域幅部分は重ならない、請求項１４に記載の方法。
【請求項１６】
前記第１のＵＥは、第４の帯域幅部分内で上り（ＵＬ）データチャネルを送信する、請求項１１に記載の方法。
【請求項１７】
前記第１の帯域幅部分に関する情報及び前記第４の帯域幅部分に関する情報は、別々にシグナリングされる、請求項１６に記載の方法。
【請求項１８】
ユーザ機器（ＵＥ）によって、制御チャネルを受信するための第１のヌメロロジを使用することを設定するステップと、
前記ＵＥによって、第１のデータチャネルを送信するための第２のヌメロロジを使用することに関する情報を受信するステップと、
前記ＵＥによって、前記第１のヌメロロジを使用して前記制御チャネルを受信し、前記ＵＥによって、前記第２のヌメロロジを使用して前記第１のデータチャネルを送信するステップと、を含む方法。
【請求項１９】
前記第２のヌメロロジは、無線リソース制御（ＲＲＣ）メッセージによって設定されることを、請求項１８に記載の方法。
【請求項２０】
前記第２のヌメロロジは、前記制御チャネルによって指示される、請求項１８に記載の方法。
【発明の詳細な説明】
【技術分野】
【０００１】
本願は、２０１６年９月３０日に出願された“METHOD  AND  APPARATUS  FOR  TRANSMITTING  CONTROL  CHANNEL  FOR  MULTIPLE  NUMEROLOGIES  IN  A  WIRELESS  COMMUNICATION  SYSTEM”と題する、米国仮出願第６２／４０２，２９２号の優先権を主張し、その全体が明示的に参照により本明細書に援用される。
【０００２】
本願は、２０１６年１０月２８日に出願された“METHOD  AND  APPARATUS  FOR  TRANSMITTING  HARQ  ACKNOWLEDGEMENT  FOR  MULTIPLE  NUMEROLOGIES  IN  A  WIRELESS  COMMUNICATION  SYSTEM”と題する、米国仮出願第６２／４１４，３４１号の優先権も主張し、その全体が明示的に参照により本明細書に援用される。
【０００３】
本願は、２０１６年１１月１４日に出願された“METHOD  AND  APPARATUS  FOR  CONTROL  CHANNEL  TRANSMISSION  FOR  MULTIPLE  NUMEROLOGIES  IN  A  WIRELESS  COMMUNICATION  SYSTEM”と題する、米国仮出願第６２／４２１，５７２号の優先権も主張し、その全体が明示的に参照により本明細書に援用される。
【０００４】
本開示は、概して、無線通信システムに関連し、具体的には、複数のヌメロロジを使用する無線通信システムにおいて、制御チャネルを効率よく送信することに関連する。
【背景技術】
【０００５】
次の電気通信規格である５Ｇは、直交周波数分割多重（ＯＦＤＭ）として知られている信号変調方式を使用する可能性が高い。５Ｇ無線アクセスが構築されるであろう新しい無線アクセス技術（ＮＲ）は、複数のヌメロロジ（numerologies）をサポートするネットワークを提供する。ヌメロロジとは、例えば、サブキャリア間隔、シンボル持続時間、巡回プレフィックス、及びリソースブロックサイズを含む、所与のＯＦＤＭ通信を実行するために選択される特定のパラメータを指す。複数のヌメロロジを同時に使用することにより、ＮＲネットワークが現在可能であるものよりも高いデータレート及び少ない待ち時間で通信することが可能になる。しかし、モバイルデバイスは、所与のネットワークによって提供される異なるヌメロロジに対応する能力に違いがあると予想される。基準設計を提供し、５Ｇについての検討と解決を必要とする問題を特定する第３世代パートナーシッププロジェクト（３ＧＰＰ）は、複数のヌメロロジを使用する５Ｇシステムについてのリソース割り当て、リソース制御、及び制御チャネル情報の送信に関連した未解決の問題があることを指摘している。本開示に提示された発明は、例えば、複数のヌメロロジをサポートするセルのために制御チャネル情報を効率的に送信する方法を含む、これらの問題に対する解決手段を提供する。
【発明の概要】
【０００６】
無線通信システムにおけるユーザ機器（ＵＥ）によって制御チャネルを受信するための方法及び装置が本明細書で開示される。ＵＥは、制御チャネルを受信するために第１のヌメロロジを使用するように設定される。また、ＵＥは、第１のデータチャネルを受信するための第２のヌメロロジの使用に関する情報を受信する。ＵＥは、第１のヌメロロジを使用して制御チャネルを受信し、第２のヌメロロジを使用して第１のデータチャネルを受信する。
【図面の簡単な説明】
【０００７】
添付の図面を参照して、種々の非限定的な実施形態をさらに説明する。
【図１】本明細書で説明する１つ以上の実施形態による、制御チャネル情報を送信するための例示の非限定的な無線通信システムを示す。
【図２】本明細書で説明する１つ以上の実施形態による、ＯＦＤＭ送信のための例示の非限定的な下りリソースグリッドを示す。
【図３】本明細書で説明する１つ以上の実施形態による、制御チャネル情報及びデータチャネル情報を送信するための例示の非限定的な方法を示す。
【図４】本明細書で説明する１つ以上の実施形態による、帯域幅区画に関連する情報を送信するための例示の非限定的な方法を示す。
【図５】本明細書で説明する１つ以上の実施形態による、種々のヌメロロジのための帯域幅及び周波数位置が調整される例示の非限定的な環境を示す。
【図６】本明細書で説明する１つ以上の実施形態による、本明細書に記載の１つ以上の実施形態による、特定（所与）のヌメロロジを有する制御チャネルが異なるヌメロロジを有するデータチャネルをスケジューリングする例示の非限定的な方法を示す。
【図７】本明細書で説明する１つ以上の実施形態による、データチャネル情報及びＨＡＲＱフィードバックを通信するための例示の非限定的な方法を示す。
【図８】本明細書で説明する１つ以上の実施形態による、下り（ＤＬ：Downlink）及び上り（ＵＬ：Uplink）帯域幅区画の例示の非限定的な構造を示す。
【図９】本明細書で説明する１つ以上の実施形態による、ＤＬデータのための帯域幅部分とＨＡＲＱフィードバックのための帯域幅部分との間の例示の非限定的な関係を示す。
【図１０】本明細書で説明する１つ以上の実施形態による、データチャネル及び制御チャネルの場合の周波数リソースを管理するための例示の非限定的な方法を示す。
【図１１】本明細書で説明する１つ以上の実施形態による、データチャネルのスケジューリング単位にＯＦＤＭシンボルを投入するための例示の非限定的な構造を示す。
【図１２】本明細書で説明する１つ以上の実施形態による、データチャネルのスケジューリング単位にＯＦＤＭシンボルを投入するための別の例示の非限定的な構造を示す。
【図１３】本明細書で説明する１つ以上の実施形態による、多元接続無線通信システムを示す。
【図１４】本明細書で説明する１つ以上の実施形態による、送信機システム及び受信機システムを含むＭＩＭＯシステムの実施形態の簡略ブロック図を示す。
【図１５】本明細書で説明する１つ以上の実施形態による、通信デバイスの代替の簡略機能ブロック図を示す。
【図１６】本明細書で説明する１つ以上の実施形態による、図１５に示すプログラムコードの簡略ブロック図である。
【図１７】本明細書で説明する１つ以上の実施形態による、ＵＥが制御チャネルを受信する例示の非限定的な方法を示す。
【図１８】本明細書で説明する１つ以上の実施形態による、２つのＵＥを含む、制御チャネル情報を送信するための例示の非限定的な無線通信システムを示す。
【発明を実施するための形態】
【０００８】
以下、例示的な実施形態を示す添付の図面を参照して、１つ以上の実施形態をより完全に説明する。以下の説明では、説明のために、様々な実施形態の完全な理解を提供するために、多数の特定の詳細を記載している。しかし、様々な実施形態は、これらの特定の詳細がなくとも（及び特定のネットワーク環境又は標準に適用することなく）実施することができる。
【０００９】
最初に図１を参照すると、図示されているのは、本明細書で説明する１つ以上の実施形態による、複数のヌメロロジ、適切な制御チャネル及び区画された帯域幅を使用するためにモバイルデバイス１０２を設定するための、モバイルデバイス（又はＵＥ）１０２及びネットワークノード１０４を含む例示の非限定的な無線通信システム１００である。図示のように、ユーザ機器（ＵＥ）又はモバイルデバイス１０２（例えば、モバイルデバイス又は他の専門用語）は、ネットワークノード１０４（例えば、ｅＮｏｄｅＢ、ｅＮＢ、ネットワーク、セル又は他の用語）と通信することができる。さらに、モバイルデバイス１０２及び／又はネットワークノード１０４は、他のモバイルデバイス（図示せず）及び／又は他のネットワークノード（図示せず）と通信することができる。「リンク」とは、２つ以上のデバイス又はノードを接続する通信チャネルである。上り（ＵＬ１０６）とは、モバイルデバイス１０２からネットワークノード１０４への信号の送信に使用されるリンクを指す。下り（ＤＬ１０８）とは、ネットワークノード１０４からモバイルデバイス１０２への信号の送信に使用されるリンクを指す。単一のモバイルデバイス及び単一のネットワークノードに関して様々な態様を論じるが、本明細書で説明する様々な態様は、１つ以上のモバイルデバイス及び／又は１つ以上のネットワークノードに適用され得ることに留意する。
【００１０】
モバイルデバイス１０２は、ヌメロロジコンポーネント１１０と、帯域幅区画コンポーネント１１２と、送信機コンポーネント１１４と、受信機コンポーネント１１６とを含むことができる。別個のコンポーネントに関して図示、説明しているが、送信機コンポーネント１１４及び受信機コンポーネント１１６は、ネットワークノード１０４、他のネットワークノード、及び／又は他のモバイルデバイスと間でデータを送信及び／又は受信するように構成された単一の送信機／受信機とすることができる。送信機コンポーネント１１４及び受信機コンポーネント１１６を通じて、モバイルデバイス１０２は同時にデータを送信及び受信することができ、モバイルデバイス１０２は異なる時間にデータを送信及び受信することができ、又はそれらの組み合わせを行うことができる。
【００１１】
いくつかの実装によれば、モバイルデバイス１０２は、制御回路を含むことができ、プロセッサ１２０及びメモリ１１８を、制御回路に設けることができる。さらに、プロセッサ１２０は、メモリ１１８に記憶されたプログラムコードを実行して、本明細書、特に図３〜図１２に示す方法に関して論じる様々な態様を実行するように構成することができる。例えば、プロセッサ１２０は、メモリ１１８内のプログラムコードを実行して、様々な送信（例えば、制御チャネル及びデータチャネルを介した送信）に使用されるヌメロロジを選択し、それらの送信に対して区画された帯域幅を分配する（apportion）ことができる。ヌメロロジコンポーネント１１０及び帯域幅区画コンポーネント１１２の機能を、様々な方法を参照して本開示で説明する。
【００１２】
図１に示す例では、ヌメロロジコンポーネント１１０は、ただ１つのヌメロロジ又は複数のヌメロロジを含む。様々な実施形態において、ヌメロロジをヌメロロジコンポーネント１１０に追加するあるいはここから削除することができる。ヌメロロジとは、直交周波数分割多重を行うためのサブキャリア間隔、シンボル時間、高速フーリエ変換（ＦＦＴ）サイズなどのパラメータのために選択される特定の値を指す。これは、いくつかのロング・ターム・エボリューション（ＬＴＥ）準拠の携帯電話の場合であり、ここでは、初期アクセスの場合、１つの下り（ＤＬ）ヌメロロジが定義される。具体的には、ヌメロロジは、１５ＫＨｚのサブキャリア間隔を含むように定義され、初期アクセス中に取得される信号及びチャネルは、１５ＫＨｚのヌメロロジに基づく。ＯＦＤＭシンボルは、リソースブロックにグループ化される。リソースブロックが周波数領域において１８０ｋＨｚ間隔の合計サイズを有する場合、例えば、１５ｋＨｚのサブ間隔では１２個のサブキャリアが存在する。時間領域では、各リソースブロックは５ミリ秒の長さを有するので、各１ミリ秒の送信時間間隔（ＴＴＩ）だと、ＯＦＤＭシンボルの２つのスロット（Ｔｓｌｏｔｓ）を送信する。
【００１３】
ＬＴＥのヌメロロジの概要並びにＯＦＤＭリソースグリッド、リソース要素、及びリソースブロックの説明は、３ＧＰＰ  ＴＳ  ３６．２１１  ｖ１３．１．１０（“E-UTRA  physical  channels  and  modulation(Release  13)”）の６．１項及び６．２項に記載されている。３ＧＰＰ  ＴＳ  ３６．２１１  ｖ１３．１．１０は、その全体が参照により本明細書に援用され、その一部を以下及び図２に再現する。
【００１４】
（外１−１）
2018061247.tif 000003
（外１−２）
2018061247.tif 000004
【００１５】
（外２）
2018061247.tif 000005
これについては、図２を参照のこと。
【００１６】
（外３）
2018061247.tif 000006
【００１７】
ネットワークノード１０４は、モバイルデバイス１０２、他のネットワークノード、及び／又は他のモバイルデバイスとの間でデータを送信及び／又は受信するように構成された送信機／受信機とすることができる通信コンポーネント１２２を含むことができる。通信コンポーネント１２２を介して、ネットワークノード１０４は同時にデータを送信及び受信することができ、ネットワークノード１０４は異なる時間にデータを送信及び受信することができ、又はそれらの組み合わせを行うことができる。ネットワークノード１０４も、プロセッサ１２６に動作可能に結合されたメモリ１２４を含むことができる。メモリ１２４は、ネットワークノード１０４とモバイルデバイス１０２との間の通信を制御する活動を容易にすることができ、非限定的な通信システム１００は、記憶されているプロトコル及び／又はアルゴリズムを採用して、本明細書で説明する無線ネットワークにおける改善された通信を達成するようにする。
【００１８】
ネットワークノード１０４は、ヌメロロジデータベース（又はライブラリ）１２８と、ヌメロロジデータベース１２８に通信可能及び／又は制御可能に結合されたＵＥ設定モジュール１３０とを含む。ヌメロロジデータベース１２８は、ネットワークノード１０４が処理できるヌメロロジＮ１〜Ｎｍを含む。一実施形態では、ヌメロロジＮ１〜Ｎｍのうちの１つは、デフォルトのヌメロロジである。一実施形態では、ヌメロロジＮ１〜Ｎｍのうちの１つは、ネットワークノード１０４の好ましいヌメロロジである。一実施形態では、ヌメロロジをヌメロロジデータベース１２８に追加するあるいはここから削除することができる。ＵＥ設定モジュール１３０は、モバイルデバイス１０２のために適切なヌメロロジを選択することが課される。ＵＥ設定モジュール１３０は、モバイルデバイス１０２のために適切な制御チャネルを選択すること並びに選択された制御チャネル及びそれぞれのヌメロロジについてモバイルデバイスに通知することが課される。ＵＥ設定モジュール１３０の機能を、本開示の様々な方法を参照して以下に詳細に説明する。
【００１９】
図３は、本明細書で説明する１つ以上の実施形態による、ＵＥが制御チャネルを受信する例示の非限定的な方法を示す。フロー図３００に図示するように、ステップ３０４において、ＵＥは、制御チャネルを受信するための第１のヌメロロジを使用するように設定される。ステップ３０６において、ＵＥは、第１のデータチャネルを受信するための第２のヌメロロジの使用に関する情報を受信する。ステップ３０８において、ＵＥは、第１のヌメロロジを使用して制御チャネルを受信する。ステップ３１０において、ＵＥは、第２のヌメロロジを使用して第１のデータチャネルを受信する。一例では、第１のヌメロロジはデフォルトのヌメロロジである。一例では、第１のヌメロロジは予め定義されたヌメロロジである。一例では、第１のヌメロロジは同期信号によって指示される。一例では、第１のヌメロロジは、ブロードキャストチャネルによって設定される。本開示の一態様によれば、ステップ３１２において、ＵＥは、第１のヌメロロジを使用して第２のデータチャネルを受信する。一例では、第２のデータチャネルはブロードキャストチャネルである。一例では、第２のデータチャネルはページングチャネルである。一例では、第２のデータチャネルはランダムアクセス応答チャネルである。
【００２０】
一例では、第１のデータチャネルは、ユニキャストデータ用である。一例では、第１のデータチャネルはＤＬデータチャネルである。一例では、制御チャネルは、第１のデータチャネルをスケジューリングする。一例では、第２のヌメロロジは、無線リソース制御（ＲＲＣ）メッセージによって設定される。一例では、第２のヌメロロジは、ＵＥが接続モードに入った後に設定される。一例では、第２のヌメロロジは、ＵＥ特有のメッセージによって設定される。一例では、第２のヌメロロジは、制御チャネルによって指示される。一例では、第２のヌメロロジは、異なる時間間隔に対して異なることができる。一例では、第１のヌメロロジはセル特有である。一例では、制御チャネルと第１のデータチャネルは同じセル内にある。
【００２１】
図１７は、本明細書で説明する１つ以上の実施形態による、ＵＥが制御チャネルを受信する例示の非限定的な方法を示す。フロー図１７００に図示するように、ステップ１７０４において、ＵＥは、制御チャネルを受信するための第１のヌメロロジを使用するように設定される。ステップ１７０６において、ＵＥは、第１のデータチャネルを送信するための第２のヌメロロジの使用に関する情報を受信する。ステップ１７０８において、ＵＥは、第１のヌメロロジを使用して制御チャネルを受信する。ステップ１７１０で、ＵＥは、第２のヌメロロジを使用して第１のデータチャネルを送信する。一例では、第１のヌメロロジはデフォルトのヌメロロジである。一例では、第１のヌメロロジは予め定義されたヌメロロジである。一例では、第１のヌメロロジは同期信号によって指示される。一例では、第１のヌメロロジは、ブロードキャストチャネルによって設定される。本開示の一態様によれば、ステップ１７１２において、ＵＥは、第１のヌメロロジを使用して第２のデータチャネルを受信する。一例では、第２のデータチャネルはブロードキャストチャネルである。一例では、第２のデータチャネルはページングチャネルである。一例では、第２のデータチャネルはランダムアクセス応答チャネルである。
【００２２】
一例では、第１のデータチャネルは、ユニキャストデータ用である。一例では、第１のデータチャネルはＵＬデータチャネルである。一例では、制御チャネルは、第１のデータチャネルをスケジューリングする。一例では、第２のヌメロロジは、無線リソース制御（ＲＲＣ）メッセージによって設定される。一例では、第２のヌメロロジは、ＵＥが接続モードに入った後に設定される。一例では、第２のヌメロロジは、ＵＥ特有のメッセージによって設定される。一例では、第２のヌメロロジは、制御チャネルによって指示される。一例では、第２のヌメロロジは、異なる時間間隔に対して異なることができる。一例では、第１のヌメロロジはセル特有である。一例では、制御チャネルと第１のデータチャネルは同じセル内にある。
【００２３】
ＮＲ及びそれらに基づく５Ｇネットワークは、データレート、待ち時間、及びカバレッジに関して多様な要件を有することになる。ＮＲは、現在のシステムよりも高いデータレート、少ない待ち時間、及び高い信頼性をサポートすることになり、本発明のデバイス及び方法は、これらの高度な能力を活用する。データレートに関しては、ｅＭＢＢ（enhanced  mobile  broadband：拡張型モバイルブロードバンド）は、下りの場合、２０Ｇｂｐｓ、上りの場合、１０Ｇｂｐｓのピークデータレートをサポートすると見込まれており、ユーザは、ＩＭＴ−Ａｄｖａｎｃｅｄ（International  mobile  telecommunications  Advanced：国際移動体通信アドバンスト）のレートの３倍のオーダーとなることが見込まれるデータレートを経験する。同時に、ＮＲシステムは、超低遅延と高信頼性をサポートすることになる。例えば、ＵＲＬＬＣ（Ultra  Reliability  and  Low  Latency  Communication：超高信頼性及び低遅延通信）システムは、ユーザプレーンの待ち時間の場合、ＵＬ及びＤＬの各々に対して０．５ミリ秒の超遅延を提供し、１ミリ秒以内に１−１０−５の高信頼性を提供することが見込まれる。また、ｍＭＴＣ（massive  machine  type  communication：大規模機械型通信）準拠のデバイスは、高い接続密度（例えば、都市環境では１，０００，０００デバイス／ｋｍ２）、過酷な環境（１６４  ｄＢのＭＣＬ（maximum  coupling  loss：最大結合損失））での大きなカバレッジ、及び低コストデバイスのための極めて長寿命のバッテリー（１５年）を必要とするものである。
【００２４】
上記の要求を満たすために、３ＧＰＰ（3rd  Generation  Partnership  Project：第３世代パートナーシッププロジェクト）は、単一のシステム帯域幅内で異なるサブキャリアヌメロロジを備えた異なるタイプのサブフレーム及び／又はサブバンド（すなわち、異なるサブキャリア間隔値及び対応する異なるＯＦＤＭシンボル長）のＦＤＭ（周波数分割多重）／ＴＤＭ（時分割多重）を可能にする選択肢を検討している。ここで、異なるサブキャリアの値が、ユースケース特有の要件に従って選択される。この場合、ＵＥの能力又はカテゴリ、及びＵＥがサポートするユースケースにおそらく依存して、ＵＥを単一又は複数のサブキャリアヌメロロジで設定することができる。また、ＵＬ及びＤＬ送信に使用されるヌメロロジは、異なるサービス要件により異なることがある。
【００２５】
ネットワークは、所与のヌメロロジにシステム全体の帯域幅、例えば、１００ＭＨｚ又は２００ＭＨｚ内で所定の帯域幅及び所定の周波数位置を提供してよい。帯域幅及び周波数位置は、特定の条件、例えば、図５の例に示すように、各ヌメロロジに必要なトラフィック量に従って調整される。なお、図５は、所与のヌメロロジについての帯域幅が連続して示されている例示の図であることに留意されたい。しかし、異なる実施形態では、所与のヌメロロジについての帯域幅は、非連続的（例えば、周波数領域において）であってもよい。したがって、ＵＥが所与のヌメロロジで設定されるとき、ＵＥがそのヌメロロジに対する帯域幅区画（例えば、帯域幅及び／又は周波数位置）を知り、データ送信又は受信のためのリソース割り当てを正しく導出するかどうか、又はそのようにする方法について、いくらか考慮する必要がある。換言すれば、ＵＥがどのように制御チャネルを検出するかを考慮する必要がある。本開示は、ＵＥに帯域幅区画に関する情報を搬送するためのメッセージ又はチャネルを識別（又は選択）するための多数の発明及び代替案を開示する。
【００２６】
本開示の一態様によれば、帯域幅区画に関する情報が、物理ブロードキャストチャネル（ＰＢＣＨ）及び／又はシステム情報ブロック（ＳＩＢ）によってシグナリングされる。一実施形態では、好ましくは、すべてのヌメロロジのための帯域幅区画に関する情報が、特定のヌメロロジ上でシグナリングされる。より具体的には、特定のヌメロロジとは、ＵＥが対応する同期信号を検出するヌメロロジである。代替的には、その情報は、ヌメロロジベースでシグナリングされ、例えば、ヌメロロジは、ヌメロロジ上のＰＢＣＨ及び／又はＳＩＢ内でそれ自身の帯域幅区画を提供する。さらに、ヌメロロジのための帯域幅区画情報を取得する前に、ＵＥは、ヌメロロジ上のデフォルトの帯域幅区画を仮定する。デフォルトの帯域幅区画の例とは、固定帯域幅と、同期から得られる周波数位置とを含む。例えば、周波数位置を、同期に加えて、システム帯域幅（例えば、すべてのヌメロロジのための総帯域幅）から導出することができる。
【００２７】
一実施形態では、同期は第１の周波数位置を決定する。第１の周波数位置及びオフセット値が、第２の周波数位置を決定する。デフォルトの帯域幅は、第２の周波数位置（例えば、中心周波数又は開始周波数によって定義される）に位置する。より具体的には、オフセット値は総システム帯域幅から決定される。代替的には、オフセット値は、ＭＩＢ又はＳＩＢ上で搬送される情報から決定される。別の実施形態では、ＭＩＢは、ヌメロロジの第１の帯域幅区画を指示する。第１の帯域幅区画により、ＵＥはヌメロロジ上でいくつかの共通シグナリング、例えばＳＩＢを受信することができる。共通信号は、さらに、ヌメロロジの第２の帯域幅区画を指示する。その後、次の（又は後続の）ＵＥ受信が第２の帯域幅区画に従う。
【００２８】
本開示の別の態様によれば、帯域幅区画に関する情報は、無線リソース制御（ＲＲＣ）によってシグナリングされる。一実施形態では、ＭＩＢ又はＳＩＢが、第１のヌメロロジの第１の帯域幅区画を示す。第１の帯域幅区画により、ＵＥは第１のヌメロロジ上で少なくともいくつかの共通シグナリング、例えばＳＩＢを受信することができる。第１の帯域幅区画は、次の（又は後続の）通信に利用される。接続モードに入った後、ＵＥ特有のＲＲＣは、さらに、ヌメロロジの第２の帯域幅区画を指示する。次のＵＥ受信は、第２の帯域幅区画に従う。ヌメロロジの第２の帯域幅区画が存在しない場合、ＵＥは第１の帯域幅区画を使用し続ける。別の実施形態では、ＭＩＢ又はＳＩＢが、第１のヌメロロジの第１の帯域幅区画を示す。第１の帯域幅区画により、ＵＥは第１のヌメロロジ上で少なくともいくつかの共通シグナリング、例えばＳＩＢを受信することができる。第１の帯域幅区画は、次の通信に利用される。接続モードに入った後、ＵＥ特有のＲＲＣは、さらに、第２のヌメロロジ及び第２のヌメロロジの第２の帯域幅区画を設定する。第２のＵＥ受信は、第２のヌメロロジ上であり、第２の帯域幅区画に従う。
【００２９】
本開示の別の態様によれば、物理制御チャネルが、帯域幅区画の情報を搬送するのに使用される。一実施形態では、その情報を単一の送信時間間隔（ＴＴＩ）に使用することができる。代替的には、その情報を複数のＴＴＩに使用することができる。より具体的には、複数のＴＴＩは固定持続時間内にある。代替的には、複数のＴＴＩは、予め定義されたタイミングで開始する。代替的には、複数のＴＴＩは、制御チャネル情報を受信した後、特定の数のＴＴＩ（例えば、Ｘ個のＴＴＩ）を開始する。代替的には、新しい情報を受信するまでその帯域幅区画情報を使用することができる。好ましくは、その情報はスケジューリング情報と共に送信される。より具体的には、スケジューリング情報はＤＬデータ用である。代替的には、その情報は特定のチャネル上で送信される。好ましくは、その情報は、利用可能なすべてのヌメロロジのための帯域幅区画を含む。代替的には、その情報は、単一のヌメロロジのための帯域幅区画を含む。より具体的には、単一のヌメロロジは、ＵＥに設定されるヌメロロジである。代替的には、単一のヌメロロジは、ＵＥが対応する制御チャネルを復号するヌメロロジである。代替的には、単一のヌメロロジが、同じ制御チャネル内で指示される。
【００３０】
本開示の別の態様によれば、一実施形態では、システム帯域幅全体が、ヌメロロジの潜在的な候補を含むものとみなされる。一実施形態では、ＵＥがヌメロロジで受信できる最大帯域幅は、システム帯域幅よりも小さい。一例では、ネットワークは、ＵＥが設定されているヌメロロジでどのリソースブロックがデータ送信に利用されるかをＵＥに指示する。好ましくは、ＵＥに割り当てられた総リソースが、ＵＥが受信できるものよりも大きい場合、又は指示された帯域幅が、ＵＥが受信できるものよりも大きい場合、ＵＥはスケジューリング要求を無視することができる。代替的には、ＵＥは、ＵＥに割り当てられた総リソースが、ＵＥが受信できるものよりも大きい場合、又は指示された帯域幅が、ＵＥが受信できるものよりも大きい場合でも、スケジューリング要求に従ってデータを受信することができる。この代替案では、ＵＥは、ＵＥによって受信することができる最大帯域幅内でのみデータを受信し、最大帯域幅外でデータを受信しない。ＵＥは、データのどの部分が最大帯域幅内でカウントされる有効リソースを含むかを決定する方法を必要とすることがある。一例では、ＵＥは、リソース割り当て内の最も低い周波数を有するリソースブロックから開始する最大帯域幅をカウントする。別の例では、ＵＥは、リソース割り当て内で最も高い周波数を有するリソースブロックから開始する最大帯域幅をカウントする。
【００３１】
本開示の一態様によれば、以下の実施形態は、上記の代替物のいずれか、又は上記の代替物の任意の組み合わせを実装するために考慮され得る。１つの好ましい実施形態では、ＵＥは、制御チャネルのための第１のヌメロロジで設定され、データチャネルのための第２のヌメロロジを使用するように通知される。データチャネルは、ユニキャストデータチャネルである。第２のヌメロロジは、第１のヌメロロジとは異なる。第１のヌメロロジは、デフォルトの／予め定義されたヌメロロジである。第１のヌメロロジはセル特有のヌメロロジである。第１のヌメロロジは最大のヌメロロジである。第１のヌメロロジは、ブロードキャストチャネル上で指示される。一例では、ブロードキャストチャネルは、関連付けられた制御チャネルを有さない。さらに、ブロードキャストチャネルを、固定又は予め定義されたヌメロロジで送信することができる。別の例では、ブロードキャストチャネルは、関連付けられた制御チャネルを有し、関連付けられた制御チャネルは、デフォルト／予め定義されたヌメロロジで送信される。
【００３２】
図４は、セル４０２からＵＥ４０４に帯域幅区画に関連する情報を送信するための上述の本開示の４つの代替方法をまとめたものである。環境４００に示すように、セル４０２からＵＥ４０４に帯域幅区画情報を搬送するための４つの方法４０６が示されている。４つの方法４０６は、ＰＢＣＨ及び／又はＳＩＢ４０８によりシグナリングすること、ＲＲＣ４１０によりシグナリングすること、物理制御チャネル４１２を使用して帯域幅区画に関連する情報を搬送すること、総システム帯域幅４１４についての帯域幅に関する情報を提供することと、を含む。図４に示すように、セル４０２及びＵＥ４０４は、同期情報４１８及びデータチャネル及び制御チャネルに関する情報４２０も交換する。同期情報４１８及びデータ／制御チャネルに関する情報４２０は、ヌメロロジ関連情報又は指示を含んでよい。
【００３３】
一実施形態では、好ましくは、第１のヌメロロジは、同期チャネルによって指示される。より具体的には、ブロードキャストチャネルが第１のヌメロロジで送信される。好ましくは、第２のヌメロロジは、ＵＥ特有に設定される。好ましくは、第２のヌメロロジは、ＵＥが接続モードに入った後に設定される。好ましくは、第２のヌメロロジは、制御チャネルによって指示される。好ましくは、制御チャネルは、第２のヌメロロジで送信される対応するユニキャストデータチャネルに関連付けられる。好ましくは、第２のヌメロロジは、制御チャネルに関連付けられたユニキャストデータチャネルに適用される。より具体的には、「関連付けられた」とは、制御チャネルがデータチャネルのためにスケジューリング情報を提供することを意味する。好ましくは、第２のヌメロロジは、ユニキャストデータチャネルに対するサービス要件に従って選択される。好ましくは、制御チャネルを、ユニキャストデータをスケジュールするのに使用することができる。好ましくは、制御チャネルを、共通データ、例えば、ブロードキャスト情報、ページング情報又はランダムアクセス応答をスケジュールするのに使用することができる。好ましくは、制御チャネル及びデータチャネルは、時間領域において多重化される。
【００３４】
一例では、第１のヌメロロジは、制御チャネル受信のために設定される。ＵＥが第１のヌメロロジで制御チャネルを復号しようとすることを意味する。制御チャネルが検出され、対応するデータチャネルがある場合、制御チャネルは、データチャネル受信（ＤＬ）又は送信（ＵＬ）のための第２のヌメロロジをさらに指示してもよい。第２のヌメロロジは、第１のヌメロロジと同じであってもよいし、第１のヌメロロジとは異なっていてもよい。特定のタイプのデータチャネルに対してデフォルトのヌメロロジを定義することができ、そのタイプのデータチャネルには、ヌメロロジの余分な指示を必要としなくてもよい。そうすることにより、データ通信のためのヌメロロジを動的に適合させて異なる要求を満たすことができ、制御チャネル受信を同じに維持して、復号化の複雑さ又は待ち時間の増加を回避することができる。また、そのようにすることにより、複数のヌメロロジの同時処理能力を持たないＵＥが、迅速かつ効率的にデータヌメロロジを適応させることができる。図６は、特定のヌメロロジで制御される制御チャネルが、異なるヌメロロジで制御されるデータチャネルをスケジュールする例示の方法を示す。
【００３５】
一実施形態では、データチャネルスケジューリングのための異なる周波数領域は、異なる制御チャネル候補に関連付けられる。制御チャネル候補が正常に復号される場合、対応するデータチャネルは、関連付けられた周波数領域内にスケジューリングされる。より具体的には、制御チャネルは、関連付けられた周波数領域内のどのリソースがデータチャネルに使用されるかを指示する。いくつかの例では、好ましくは、周波数領域は、セルのシステム帯域幅の一部である。好ましくは、ＵＥは、いくつかの周波数領域の位置／範囲で設定される。好ましくは、周波数領域は、セルのシステム帯域幅から暗黙的に導出される。以下では、どのように関連付けが行われるかについて説明する。好ましくは、第１の周波数領域内の制御チャネル候補は、同じ第１の周波数領域に関連付けられる。代替的には、制御チャネル候補のインデックスは、周波数領域のインデックスに関連付けられる。より具体的には、制御チャネルのインデックスは、制御チャネル要素のインデックスである。より具体的には、周波数領域のインデックスは、周波数領域の周波数次数（order）に従う。好ましくは、関連付けられた周波数領域のインデックスは、対応する制御チャネル候補のインデックスから導出される。より具体的には、方程式を使用してインデックスを導出する。代替的には、ルックアップテーブルを使用してインデックスを導出する。好ましくは、周波数領域において制御チャネル候補に最も近い周波数領域が、制御チャネル候補に関連付けられる。好ましくは、制御チャネル候補は、周波数領域の周波数位置、例えば周波数位置の中心を決定し、周波数位置は、設定又は予め定義された帯域幅を有する。
【００３６】
一実施形態では、ＵＥは、ＤＬデータチャネルための第１のヌメロロジと、ＵＬデータチャネルのための第２のヌメロロジと、制御チャネルのための第３のヌメロロジで設定される。好ましくは、第３のヌメロロジは、第１のヌメロロジ及び第２のヌメロロジから導かれる。より具体的には、第３のヌメロロジは、第１のヌメロロジと第２のヌメロロジとの間の、より小さいものである。代替的には、第３のヌメロロジは、第１のヌメロロジと第２のヌメロロジとの間の、より大きいものである。好ましくは、第３のヌメロロジは、第１のヌメロロジ及び第２のヌメロロジとは異なる。好ましくは、第３のヌメロロジはデフォルト又は予め定義されたヌメロロジである。
【００３７】
上述した様々な態様を、以下に説明する例示的な無線通信システム及びデバイスに適用又は実装することができる。追加的に、様々な態様は、主に３ＧＰＰアーキテクチャ参照モデルの文脈で説明している。しかし、開示された情報により、当業者であれば、３ＧＰＰ２ネットワークアーキテクチャ及び他のネットワークアーキテクチャにおいて、本発明の使用に容易に適応でき、態様を実装することができることが理解される。本開示で説明する例示的な無線通信システム及びデバイスは、ブロードキャストサービスをサポートする無線通信システムを使用する。無線通信システムは、音声、データなどの様々なタイプの通信を提供するために広く展開されている。これらのシステムは、符号分割多元接続（ＣＤＭＡ）、時分割多元接続（ＴＤＭＡ）、直交周波数分割多元接続（ＯＦＤＭＡ）、３ＧＰＰ  ＬＴＥ（ロング・ターム・エボリューション）無線アクセス、３ＧＰＰ  ＬＴＥ−Ａ）無線アクセス、３ＧＰＰ２  ＵＭＢ（ウルトラ・モバイル・ブロードバンド）、ＷｉＭａｘ、又は他の何らかの変調技術に基づいてよい。
【００３８】
図７は、ハイブリッド自動再送要求（ＨＡＲＱ）フィードバックを送信するための方法を示す。フロー図７００に示すように、ステップ７０４において、第１のＵＥは、第１の帯域幅部分内で第１のヌメロロジを用いて第１の下り（ＤＬ）データチャネルを受信する。ステップ７０６において、第１のＵＥは、第２の帯域幅部分内で第２のヌメロロジを用いて第１の下りデータチャネル内のデータに対応するＨＡＲＱフィードバックを送信する。一例では、第２の帯域幅部分は、第１の帯域幅部分内に位置する。一例では、第１のヌメロロジと第２のヌメロロジは異なる。一例では、第１のＵＥは、第１のＵＥが第１の下りデータチャネルを受信するセルにおいてＨＡＲＱフィードバックを送信する。
【００３９】
一例では、第１のヌメロロジと第２のヌメロロジは同じである。本開示の別の態様では、ステップ７０８において、第２のＵＥが、第１の帯域幅部分内で第１のヌメロロジを用いて第２のＤＬデータチャネルを受信する。ステップ７１０において、第２のＵＥは、第３の帯域幅部分内で第３のヌメロロジを用いて第２の下りデータチャネルのデータに対応するＨＡＲＱフィードバックを送信する。一例では、第２のヌメロロジと第３のヌメロロジは異なる。一例では、第２の帯域幅部分と第３の帯域幅部分は重ならない。一例では、第３の帯域幅部分は、第１の帯域幅部分内に位置する。一例では、第１の帯域幅部分の位置が設定（又はプログラム若しくは決定）される。一例では、第１の帯域幅部分の位置は、第１のＤＬデータチャネルに関連付けられた第１のＤＬ制御チャネルから導出される。一例では、第１の下り制御チャネルは、第１の帯域幅部分の位置を示す。一例では、第１の下り制御チャネルを搬送するために使用されるリソースが、第１の帯域幅部分の位置を決定する。
【００４０】
一例では、第２の帯域幅部分の位置は固定される。一例では、第２の帯域幅部分の位置が設定される。一例では、第２の帯域幅部分の位置は、第１の下り制御チャネルから導出される。一例では、第３の帯域幅部分が調整される場合、第２の帯域幅部分の位置が調整される。一例では、第１の帯域幅部分内の第２の帯域幅部分の相対位置は固定される。一例では、第１の帯域幅部分内の第２の帯域幅部分の相対位置が設定される。一例では、第１の帯域幅部分内の第２の帯域幅部分の相対位置は、第１の下り制御チャネル情報から導出される。様々な例では、相対位置を、最も低い周波数を有するリソースブロック、最も高い周波数を有するリソースブロック、又は特定のリソースブロックから開始するリソースブロック、例えば、最も低い周波数を有するリソースブロックから数えて５番目のリソースブロックにすることができる。
【００４１】
一例では、リソース割り当てフィールドは、第１の帯域幅部分内に第１のＤＬデータチャネルを割り当てる。一例では、リソース割り当てフィールドは、第１のＤＬデータチャネルを割り当てて、第１の帯域幅部分の外側にデータをスケジューリングすることができない。一例では、第１の帯域幅部分は、第１の下りデータチャネルに割り当て可能な最大リソースである。一例では、ＨＡＲＱフィードバックを搬送するために使用されるリソースは固定される。一例では、ＨＡＲＱフィードバックを搬送するために使用されるリソースが設定される。一例では、ＨＡＲＱフィードバックを搬送するために使用されるリソースは、第１の下り制御チャネル情報から導出される。一例では、第２の帯域幅部分内でＨＡＲＱフィードバックを搬送するために使用されるリソースの相対位置は固定される。一例では、第２の帯域幅部分内でＨＡＲＱフィードバックを搬送するために使用されるリソースの相対位置が設定される。一例では、第２の帯域幅部分内でＨＡＲＱフィードバックを搬送するために使用されるリソースの相対位置は、第１の下り制御チャネルから導出される。
【００４２】
ステップ７１２において、第１のＵＥは、第４の帯域幅部分内でＵＬデータチャネルを送信する。一例では、第１の帯域幅部分に関する情報及び第４の帯域幅部分に関する情報は、別々にシグナリングされる。一例では、第４の帯域幅部分は、第２の帯域幅部分と重ならない。一例では、第４の帯域幅部分は、第１の帯域幅部分と重ならない。一例では、第４の帯域幅部分は、第１のＵＥの上りデータをスケジューリングするのに使用することができる最大リソースである。一例では、第４の帯域幅部分が設定される。一例では、第４の帯域幅部分は、上りデータチャネルに関連付けられた第２の下り制御チャネルから導出される。一例では、ＵＥは、第５の帯域幅部分上でＨＡＲＱフィードバック以外の上り制御チャネルを送信する。
【００４３】
本開示の一態様によれば、ＵＥは、第１のヌメロロジで第１のＤＬデータチャネルを受信する。ＵＥは、第２のヌメロロジでＨＡＲＱフィードバックを送信する。第２のヌメロロジは、利用可能な上りヌメロロジのサブセット内にある。一例では、利用可能な上りヌメロロジのサブセットは、第１のヌメロロジのサブキャリア間隔以上のサブキャリア間隔を有するヌメロロジを含む。一例では、利用可能な上りヌメロロジのサブセットは、第１のヌメロロジのサブキャリア間隔以下のサブキャリア間隔を有するヌメロロジを含む。  １つの例では、利用可能な上りヌメロロジのサブセットが設定される。一例では、サブセット内のヌメロロジの数はＸ、例えばＸ＝３を超えることができない。一例では、利用可能な上りヌメロロジのサブセットは、第１のヌメロロジのサブキャリア間隔に最も近いサブキャリア間隔を有するＸ、例えばＸ＝３個のヌメロロジである。
【００４４】
本開示の一態様によれば、基地局は、第１の帯域幅部分内で第１のヌメロロジを用いて第１のＤＬデータチャネルを第１のＵＥに送信する。基地局は、第２の帯域幅部分内で第２のヌメロロジを用いて第１の下りデータチャネル内のデータに対応するＨＡＲＱフィードバックを受信する。基地局は、第１の帯域幅部分内で第１のヌメロロジを用いて第２のＤＬデータチャネルを第２のＵＥに送信する。基地局は、第３の帯域幅部分内で第３のヌメロロジを用いて第２の下りデータチャネル内のデータに対応するＨＡＲＱフィードバックを受信する。一例では、第１のヌメロロジと第２のヌメロロジは異なる。一例では、第１のヌメロロジと第３のヌメロロジは異なる。一例では、第２の帯域幅部分と第３の帯域幅部分は重ならない。一例では、第２の帯域幅部分は、第１の帯域幅部分内に位置する。一例では、第３の帯域幅部分は、第１の帯域幅部分内に位置する。一例では、第２の帯域幅部分及び第１の帯域幅部分は、時間領域において多重化される。一例では、第３の帯域幅部分及び第１の帯域幅部分は、時間領域において多重化される。
【００４５】
本開示の一態様によれば、ＨＡＲＱフィードバックを受信する別の方法が開示される。この方法では、基地局は、第１のヌメロロジで第１のＤＬデータチャネルをＵＥに送信する。基地局は、第２のヌメロロジでＨＡＲＱフィードバックを受信する。第２のヌメロロジは、利用可能な上りヌメロロジのサブセット内にある。一例では、利用可能な上りヌメロロジのサブセットは、第１のヌメロロジのサブキャリア間隔以上のサブキャリア間隔を有するヌメロロジを含む。一例では、利用可能な上りヌメロロジのサブセットは、第１のヌメロロジのサブキャリア間隔以下のサブキャリア間隔を有するヌメロロジを含む。一例では、利用可能な上りヌメロロジのサブセットが設定される。一例では、サブセット内のヌメロロジの数はＸ、例えばＸ＝３を超えることができない。一例では、利用可能な上りヌメロロジのサブセットは、第１のヌメロロジのサブキャリア間隔に最も近いサブキャリア間隔を有するＸ、例えばＸ＝３個のヌメロロジを含む。一例では、この方法は時分割複信（ＴＤＤ）システムに適用される。
【００４６】
本開示の一態様によれば、ＴＤＤ構造の場合、ネットワークは、ＵＬ帯域幅及びＤＬ帯域幅が何らかの関係を有する、例えば、ＤＬ帯域幅内でＤＬデータを受信することとＵＬ帯域幅内で対応するＵＬ  ＨＡＲＱフィードバックを送信することがあるので、ＤＬ帯域幅及びＵＬ帯域幅をどのように区画するかをさらに理解する必要があることがある。本開示のいくつかの実施形態では、ヌメロロジは、サブキャリア間隔及び／又は巡回プレフィックス長を指す。本開示の一態様によれば、第１のヌメロロジは、ＤＬ制御／データのために設定され、第２のヌメロロジは、ＵＬ制御／データのために設定される。本開示の別の態様によれば、第１のヌメロロジは、ＤＬデータ及び上り制御のために設定され、第２のヌメロロジは、ＤＬ制御及び上りデータのために設定される。本開示の別の態様によれば、第１のヌメロロジは、ＤＬ制御、ＤＬデータ及び上り制御のために設定され、第２のヌメロロジは、上りデータのために設定される。本開示の別の態様によれば、第１のヌメロロジは、ＤＬデータ及び上り制御のために設定され、第２のヌメロロジは、上りデータのために設定され、第３のヌメロロジは、ＤＬ制御のために設定される。
【００４７】
一実施形態では、好ましくは、基地局は、第１の区画で複数のヌメロロジのために下り送信のための帯域幅を区画する、例えば、複数のヌメロロジのために周波数リソースを割り当て、第２の区画で上り送信のための帯域幅を区画する。好ましくは、第１の区画と第２の区画は異なる。好ましくは、ＤＬ送信のための所与のヌメロロジの帯域幅部分内で、ＵＬ送信のための複数のヌメロロジがその帯域幅部分に位置する。好ましくは、ＵＬ送信はＨＡＲＱフィードバック送信である。好ましくは、ＵＬ送信を、ＵＬデータ送信に使用することができない。好ましくは、ＵＥの場合、ＵＬデータ送信のための第１のＵＬ帯域幅部分があり、ＨＡＲＱフィードバック送信のための第２のＵＬ帯域幅部分がある。より具体的には、第２のＵＬ帯域幅部分は、ＨＡＲＱフィードバックの対応する下りデータを受信するために使用される第３の帯域幅部分内に位置する。好ましくは、ＨＡＲＱフィードバック以外のＵＬ制御情報を送信するための第４の帯域幅部分が存在する。
【００４８】
好ましくは、ＨＡＲＱフィードバック以外のＵＬ制御情報は、チャネル状態情報を含む。好ましくは、ＨＡＲＱフィードバック以外のＵＬ制御情報がスケジューリング要求である。好ましくは、ＵＥは、下りデータに関連付けられた下り制御チャネルに従って第３の帯域幅部分の位置を実現する。好ましくは、ＵＥは、設定に従って第３の帯域幅部分の位置を実現する。好ましくは、第２の帯域幅部分は、第３の帯域幅部分の設定された位置内に位置する。好ましくは、第２の帯域幅部分は、関連付けられた下り制御チャネルから導出される第３の帯域幅部分の設定された位置内に位置する。好ましくは、位置は、下り制御チャネルによって占有されるリソースから導出される。好ましくは、第３の帯域幅部分及び第２の帯域幅部分は、時間領域において多重化される。好ましくは、ＨＡＲＱフィードバックを送信するためのリソースは、第２の帯域幅部分内のリソースから選択される。好ましくは、ＨＡＲＱフィードバックを送信するためのリソースは、予め定義された規則に従って選択される。
【００４９】
好ましくは、ＨＡＲＱフィードバックを送信するためのリソースは、設定に応じて選択される。好ましくは、ＨＡＲＱフィードバックを送信するためのリソースは、下り制御チャネルによって指示される。好ましくは、第１の帯域幅部分と第２の帯域幅部分は、周波数領域において重複しない。好ましくは、第１のＵＥは、同じヌメロロジで、第１の帯域幅部分上でＵＬデータを送信し、第２の帯域幅部分上でＨＡＲＱフィードバックを送信する。好ましくは、第１のＵＥは、異なるヌメロロジで、第１の帯域幅部分上でＵＬデータを送信し、第２の帯域幅部分上でＨＡＲＱフィードバックを送信する。好ましくは、第１の帯域幅部分は別のシグナリングによって指示される。好ましくは、ＵＬデータに割り当てられるリソースは、第１の帯域幅部分のサブセットである。好ましくは、第１の帯域幅部分及び第３の帯域幅部分は、独立してシグナリングされる。好ましくは、第１の帯域幅部分と第３の帯域幅部分は異なる。好ましくは、基地局はＴＤＤモードで動作する。図８は、下り及び上り帯域幅区画の一例を示す。
【００５０】
ＤＬデータチャネル及び対応するＨＡＲＱフィードバックチャネルは、異なるヌメロロジを使用してもよい。好ましくは、ＤＬデータに使用されるヌメロロジと、対応するＨＡＲＱフィードバックに使用されるヌメロロジとの間には制限がある。好ましくは、所与のヌメロロジでの下りデータチャネルに対して、ＵＬヌメロロジのサブセットをＨＡＲＱフィードバック送信に使用することができる。基地局によって使用されるすべてのＵＬヌメロロジを、所与のヌメロロジでのＤＬデータチャネルに対するＨＡＲＱフィードバック送信に使用することができるとは限らないことを意味する。好ましくは、ＵＬヌメロロジのサブセットは、ＤＬデータに使用されるヌメロロジのサブキャリア間隔以上のサブキャリア間隔を有するヌメロロジを含む。好ましくは、ＵＬヌメロロジのサブセットは、ＤＬデータに使用されるヌメロロジのサブキャリア間隔の２倍以上のサブキャリア間隔を有するヌメロロジを含む。好ましくは、ＵＬヌメロロジのサブセットは、ＤＬデータに使用されるヌメロロジのサブキャリア間隔の半分又はそれと等しいサブキャリア間隔を有するヌメロロジである。好ましくは、ＵＬヌメロロジのサブセットは、ＤＬデータに使用されるヌメロロジのサブキャリア間隔以下のサブキャリア間隔を有するヌメロロジである。
【００５１】
図９は、ＤＬデータのための帯域幅部分と、ＨＡＲＱフィードバックのための対応する帯域幅部分との間の例示の関係を示す。図９に示すように、いくつかの例では、ＨＡＲＱフィードバックのためのいくつかの帯域幅部分のエッジは、ＤＬデータの帯域幅部分のエッジと整合される。別の例では、ＨＡＲＱフィードバックのためのいくつかの帯域幅部分のエッジは、ＤＬデータの帯域幅部分のエッジと整合されない。本開示の一態様によれば、所与のインスタンスに対して同じヌメロロジで送信され、異なるヌメロロジのＤＬデータチャネルに対応するＨＡＲＱフィードバックに対して、複数の帯域幅部分があるようにすることができる。下りデータのための帯域幅部分とＨＡＲＱフィードバックのための帯域幅部分との適切な割り当てにより、ＤＬデータとＨＡＲＱフィードバックとの間の周波数分離を最小化することができ、ＤＬデータ送信とＨＡＲＱフィードバック送信との間の任意のＲＦ再調整を回避するようにする。本開示において言及される帯域幅部分は、それらのそれぞれの位置及び帯域幅によって記述され得る周波数領域におけるリソースのセットに関すると理解されるべきである。
【００５２】
下りリンク制御チャネルに単一のヌメロロジを採用する場合、制御チャネルのためにＯＦＤＭシンボルをどのように配置するかが懸念事項になる。所与の持続時間、例えば、１ミリ秒（ｍｓ）の場合、異なるヌメロロジに使用されるＯＦＤＭシンボルの数は異なる。これは、（データチャネルのヌメロロジの観点から見て）整数個のＯＦＤＭシンボルが使用されるときに、データチャネルのＯＦＤＭシンボル長に基づいて、制御に使用可能なＯＦＤＭシンボルの数に制限があることを意味する。例えば、４×ＸｋＨｚのサブキャリア間隔が制御チャネルに使用され、ＸｋＨｚのサブキャリア間隔がデータチャネルに使用される場合、制御に使用される４×ＸｋＨｚ間隔で少なくとも４つのＯＦＤＭシンボルが存在する（これは、ＸｋＨｚ間隔の１つのＯＦＤＭシンボルに対応する）。これは、制御に使用される１つのＯＦＤＭシンボルと比較して、制御及びデータの両方にＸｋＨｚのサブキャリア間隔を使用するときに４倍のオーバーヘッドがあることを意味する。
【００５３】
いくつかの例では、要求される制御シグナリングオーバーヘッドは、２つのヌメロロジに、例えば、同一又は類似の数のＵＥが２つのヌメロロジの各々を使用するようにスケジュールされている場合に、同様である。従来のシステムでは、ＸｋＨｚのサブキャリア間隔を有するデータチャネルのための周波数リソースのためのＯＦＤＭシンボル数の粒度（又はプリセット増分）は、４、８、１２ＯＦＤＭシンボルである。これは、実際に／本当に必要とされるバリアント（variant）制御オーバーヘッドと比較して、制限的で無駄である。本開示の発明は、制御チャネルに使用される必要な又は所望の数のＯＦＤＭシンボルのみを使用する、例えば、４つの利用可能なＯＦＤＭシンボルのうちの２つのＯＦＤＭシンボルのみを使用するための解決手段を提供する。
【００５４】
図１０は、本開示の一態様による、データ及び制御チャネルにおいてＯＦＤＭシンボルを使用するための例示の非限定的な方法を示す。フロー図１０００に示すように、ステップ１００４において、データチャネルの異なる周波数リソースに対して異なるヌメロロジが使用される。ステップ１００６において、制御チャネルの異なる周波数リソースに対して１つのヌメロロジのみが使用される。一例では、制御チャネルに使用されるヌメロロジは、最大のサブキャリア間隔を有するヌメロロジである。ステップ１００８において、特定の持続時間内では、データチャネルのためのスケジューリング単位の数、例えば、ＴＴＩ、スロット、又はミニスロットは、すべての周波数リソースで同じである。ステップ１０１０において、所与の時間期間内で、データチャネルのヌメロロジの場合のＯＦＤＭシンボルの開始位置は、制御チャネルのヌメロロジの場合のＯＦＤＭシンボルと比較して１つのＯＦＤＭシンボルだけシフトされる。ステップ１０１２において、制御チャネルのためのヌメロロジの場合の１つのＯＦＤＭシンボルは、データチャネルの各スケジューリング単位の先頭に置かれる。さらに、いくつかの例では、データチャネルの異なる周波数リソースの各スケジューリング単位は、データチャネルのためのサブキャリア間隔に対応する異なる数のＯＦＤＭシンボルを含む。
【００５５】
図１１は、ＯＦＤＭシンボルが配置された例示の構造を示す。図１１から分かるように、データチャネルに対するスケジューリング単位内のＯＦＤＭシンボルの数は、異なる周波数リソースに対して異なることができる。サブキャリア間隔ＸｋＨｚのデータチャネルを例にとると、スケジューリング単位内のＯＦＤＭシンボル数は３又は４とすることができる。この例では、周波数リソース内の異なるスケジューリング単位内のＯＦＤＭシンボル数は異なっていてもよいことに留意されたい。周波数リソース内の異なるスケジューリング単位内のＯＦＤＭシンボルの数は等しい（各スケジューリング単位は、３つのＯＦＤＭシンボルを含むことができる）ことも可能である。
【００５６】
図１２は、ＯＦＤＭシンボルが配置された例示の代替構造を示す。図示のように、特定の持続時間内で、データチャネルのためのスケジューリング単位の数、例えば、ＴＴＩ、スロット、又はミニスロットは、異なる周波数リソースに対して異なる。例えば、２つの周波数のリソースによって使用されるスケジューリング単位の数の間の差は２の倍数の累乗のオーダーで得られる。さらに、データのヌメロロジのためのＯＦＤＭシンボルの開始位置は、所与の期間内で、制御のためのＯＦＤＭシンボルから１つだけシフトされる。さらに、データチャネルの各スケジューリング単位の開始時に、制御のためのヌメロロジのための異なる数のＯＦＤＭシンボルが存在することができる。さらに、異なる周波数リソースに対するデータチャネルのスケジューリング単位は、データチャネルのためのサブキャリア間隔に対応する同数のＯＦＤＭシンボルを含む。より具体的には、異なるＯＦＤＭシンボル上の制御チャネルは、異なるビームに使用される。例えば、サブキャリア間隔ＸｋＨｚを有するデータチャネルのための周波数リソースの制御のために４つのＯＦＤＭシンボルが存在する。より具体的には、異なる基地局／ＴＲＰビームが４つのＯＦＤＭシンボルに適用される。一実現形態では、４つのシンボルは、同じ制御情報を含む。別の実施形態では、４つのシンボルは、異なる制御情報を含む。
【００５７】
図１８は、本明細書で説明する１つ以上の実施形態による、２つのＵＥがネットワークノードと相互作用している例示の無線通信システムを示す。ネットワークノード１０４及びモバイルデバイス１０２のコンポーネント及び機能は、図１を参照して本明細書で説明している。モバイルデバイス１８１２は、モバイルデバイス１０２と同様のコンポーネント及び機能を有する。モバイルデバイス１０２は、上り（ＵＬ）１０６と下り（ＤＬ）１０８を介してネットワークノード１０４と通信可能に結合される。図３、図７及び図１７に示すように、少なくとも以下の通信がネットワークノード１０４とモバイルデバイス１０２，１８１２との間で生じる。下り１０８を介して、第１のヌメロロジを使用することによって制御チャネルを、第２のヌメロロジを使用することによって第１のデータチャネルを、そして、第１のヌメロロジを使用することによって第２のデータチャネル（例えば、ＤＬデータチャネル）を、ネットワークノード１０４が送信し、モバイルデバイス１０２が受信する。上り１０６を介して、（第１のデータチャネルを受信することに応答して）第２のヌメロロジを使用してＨＡＲＱフィードバックを、そして、第２のヌメロロジを使用して第１のデータチャネルを、モバイルデバイス１０２が送信し、ネットワークノード１０４が受信する。下り１８０８を介して、第１のヌメロロジを使用して第２のデータチャネルを、ネットワークノード１０４が送信し、モバイルデバイス１８１２が受信する。応答として、上り１８０６を介して、第３のヌメロロジを使用することによってＨＡＲＱフィードバックを、モバイルデバイス１８１２が送信し、ネットワークノード１０４が受信する。
【００５８】
図１３は、本発明の一実施形態に係る多重アクセス無線通信システムを示している。アクセスネットワーク１３００（ＡＮ）は、複数のアンテナグループを含み、あるグループは１３０２及び１３０４、別のグループは１３０６及び１３０８、また別のグループは１３１０及び１３１２を含む。図１３においては、各アンテナグループに対して、アンテナが２つしか示されていないが、より多くの又はより少ないアンテナが各アンテナグループに利用されてよい。アクセス端末１３１４（ＡＴ）は、アンテナ１３１０及び１３１２と通信しており、アンテナ１３１０及び１３１２は、順方向リンク１３１６（例えば、ＤＬ）を介して情報をアクセス端末１３１４に送信するとともに、逆方向リンク１３１８（例えば、ＵＬ）を介して情報をアクセス端末１３１４から受信する。アクセス端末（ＡＴ）１３２０は、アンテナ１３０４及び１３０６と通信しており、アンテナ１３０４及び１３０６は、順方向リンク１３２２（例えば、ＤＬ）を介して情報をアクセス端末（ＡＴ）１３２０に送信するとともに、逆方向リンク１３２４（例えば、ＵＬ）を介して情報をアクセス端末（ＡＴ）１３２０から受信する。ＦＤＤシステムにおいては、通信リンク１３１６、１３１８、１３２２、及び１３２４は通信に異なる周波数を使用してよい。例えば、順方向リンク１３１６が、逆方向リンク１３１８によって使用される周波数とは異なる周波数を使用してよい。
【００５９】
アンテナの各グループ及び／又はアンテナが通信するように設計されたエリアは、アクセスネットワークのセクターと呼ばれることが多い。本実施形態において、アンテナグループはそれぞれ、アクセスネットワーク１３００によってカバーされるエリアのセクター内のアクセス端末と通信するように設計されている。
【００６０】
順方向リンク１３１６及び１３２４を介した通信において、アクセスネットワーク１３００の送信アンテナは、異なるアクセス端末１３１４及び１３２０に対する順方向リンクの信号対雑音比を改善するために、ビームフォーミングを利用してよい。また、ビームフォーミングを使用して、カバレッジにランダムに分散したアクセス端末に送信を行うアクセスネットワークであれば、通常、単一のアンテナからすべてのアクセス端末に送信を行うアクセスネットワークよりも、隣接セル内のアクセス端末への干渉が少なくなる。
【００６１】
アクセスネットワーク（ＡＮ）は、端末と通信するのに使用される固定局又は基地局でよく、アクセスポイント、Ｎｏｄｅ  Ｂ、基地局、拡張型基地局、ｅＮｏｄｅ  Ｂ、又はその他何らかの専門用語で呼ばれることもある。アクセス端末（ＡＴ）は、ユーザ機器（ＵＥ）、無線通信デバイス、端末、アクセス端末、又はその他何らかの専門用語で呼ばれることもある。
【００６２】
図１４は、本明細書で説明する１つ以上の実施形態による、送信機システム１４０２（アクセスネットワークとしても知られている）及び受信機システム１４０４（アクセス端末（ＡＴ）又はユーザ機器（ＵＥ）としても知られている）を含むＭＩＭＯシステム１４００の実施形態の簡略ブロック図である。送信機システム１４０２では、多くのデータストリームについてのトラフィックデータがデータ源１４０６から送信（ＴＸ）データプロセッサ１４０８に提供される。
【００６３】
一実施形態において、各データストリームは、それぞれの送信アンテナを介して送信される。ＴＸデータプロセッサ１４０８は、データストリームに対して選択された特定の符号化方式に基づいて、各データストリームについてのトラフィックデータをフォーマット、符号化、及びインターリーブして、符号化データを提供する。
【００６４】
各データストリームについての符号化データを、ＯＦＤＭ技術を使用してパイロットデータと多重化してよい。パイロットデータは、代表的には、既知の様態で処理される既知のデータパターンであり、チャネル応答を推定するのに受信機システムで使用されてよい。そして、各データストリームについての多重化パイロット及び符号化データは、データストリームに対して選択された特定の変調方式（例えば、ＢＰＳＫ、ＱＰＳＫ、Ｍ−ＰＳＫ、又はＭ−ＱＡＭ）に基づいて変調（すなわち、シンボルマッピング）されて、変調シンボルを提供する。各データストリームについてのデータレート、符号化、及び変調は、プロセッサ１４１０により実行される命令によって決定されてよい。
【００６５】
そして、すべてのデータストリームについての変調シンボルはＴＸ  ＭＩＭＯプロセッサ１４１２に提供され、これが（例えば、ＯＦＤＭの場合に）変調シンボルをさらに処理してよい。そして、ＴＸ  ＭＩＭＯプロセッサ１４１２は、ＮＴ個の変調シンボルストリームをＮＴ個の送信機（ＴＭＴＲ）１４１４ａ〜１４１４ｔに提供する。特定の実施形態において、ＴＸ  ＭＩＭＯプロセッサ１４１２は、ビームフォーミング加重をデータストリームのシンボル及びシンボルが送信されているアンテナに適用する。
【００６６】
各送信機１４１４は、各シンボルストリームを受信及び処理して１つ以上のアナログ信号を提供し、さらに、アナログ信号を調節（例えば、増幅、フィルタリング、及びアップコンバート）して、ＭＩＭＯチャネルを介した送信に適した変調信号を提供する。そして、送信機１４１４ａ〜１４１４ｔからのＮＴ個の変調信号がそれぞれ、ＮＴ個のアンテナ１４１６ａ〜１４１６ｔから送信される。
【００６７】
受信機システム１４０４では、送信された変調信号がＮＲ個のアンテナ１４１８ａ〜１４１８ｒによって受信され、各アンテナ１４１８からの受信信号は、各受信機（ＲＣＶＲ）１４２０ａ〜１４２０ｒに提供される。各受信機１４２０は、それぞれの受信信号を調節（例えば、フィルタリング、増幅、及びダウンコンバート）して、調節された信号をデジタル化してサンプルを提供し、さらに、サンプルを処理して対応する「受信」シンボルストリームを提供する。
【００６８】
そして、ＲＸデータプロセッサ１４２２は、特定の受信機処理技術に基づいて、ＮＲ個の受信機１４２０からのＮＲ個の受信シンボルストリームを受信及び処理して、ＮＴ個の「検出」シンボルストリームを提供する。そして、ＲＸデータプロセッサ１４２２は、各検出シンボルストリームを復調、デインターリーブ、及び復号して、データストリームについてのトラフィックデータを復元する。ＲＸデータプロセッサ１４２２による処理は、送信機システム１４０２でのＴＸ  ＭＩＭＯプロセッサ１４１２及びＴＸデータプロセッサ１４０８によって実行される処理と相補的である。
【００６９】
プロセッサ１４２４は、どのプリコーディングマトリクス（後述）使用するかを定期的に決定する。プロセッサ１４２４は、マトリクス指標部及びランク値部を含む逆方向リンクメッセージを構築する。
【００７０】
逆方向リンクメッセージは、通信リンク及び／又は受信データストリームに関する様々なタイプの情報を含んでよい。そして、逆方向リンクメッセージは、データ源１４２８からの多くのデータストリームについてのトラフィックデータも受信するＴＸデータプロセッサ１４２６により処理され、変調器１４３０により変調され、送信機１４２０ａ〜１４２０ｒにより調節され、送信機システム１４０２に送り戻される。
【００７１】
送信機システム１４０２では、受信機システム１４０４からの変調信号がアンテナ１４１６により受信され、受信機１４１４により調節され、復調器１４３２により復調され、ＲＸデータプロセッサ１４３４により処理されて、受信機システム１４０４により送信された逆方向リンクメッセージを抽出する。そして、プロセッサ１４１０は、ビームフォーミング加重を決定するのにどのプリコーディングマトリクスを使用するかを決定し、そして、抽出されたメッセージを処理する。
【００７２】
メモリ１４３６は、プロセッサ１４１０を介して１４３２又は１４３４からのいくつかのバッファ／計算データを一時的に記憶し、１４０６からのいくつかのバッファデータを記憶し、又はいくつかの特定のプログラムコードを記憶するために使用されることができる。さらに、メモリ１４３８は、プロセッサ１４２４を介して１４２２からのいくつかのバッファ／計算データを一時的に記憶し、１４２８からのいくつかのバッファデータを記憶し、又はいくつかの特定のプログラムコードを記憶するのに使用されることができる。
【００７３】
図１５に向けると、本明細書で説明する１つ以上の実施形態による、通信デバイス１５００の代替的な簡略機能ブロック図が示されている。図１５に示されるように、無線通信システムにおける通信デバイス１５００を、図１３のモバイルデバイス（又はＡＴ）１３１４及び１３２０を実現するのに利用することができ、無線通信システムは、ＬＴＥシステムとすることができる。通信デバイス１５００は、入力デバイス１５０２、出力デバイス１５０４、制御回路１５０６、中央演算処理装置（ＣＰＵ）１５０８、メモリ１５１０、プログラムコード１５１２、及びトランシーバ１５１４を含むことができる。制御回路１５０６は、ＣＰＵ１５０８を介してメモリ１５１０内のプログラムコード１５１２を実行することにより、通信デバイス１５００の動作を制御する。図３〜図１２に示された技術を行うようにプログラムコードを実行することができる。通信デバイス１５００は、キーボード、キーパッド等の入力デバイス１５０２を介してユーザにより入力された信号を受信することができ、モニタ、スピーカ等の出力デバイス１５０４を介して画像及び音を出力することができる。トランシーバ１５１４は、無線信号を受信及び送信するのに使用され、受信信号を制御回路１５０６に伝達し、制御回路１５０６によって生成された信号を無線で出力する。
【００７４】
図１６は、本明細書で説明する１つ以上の実施形態による、図１５に示すプログラムコード１５１２の簡略ブロック図である。本実施形態において、プログラムコード１５１２は、アプリケーションレイヤ１６００、レイヤ３部１６０２、及びレイヤ２部１６０４を含み、レイヤ１部１６０６に結合されている。レイヤ３部１６０２は概して、無線リソース制御を実行する。レイヤ２部１６０４は概して、リンク制御を実行する。レイヤ１部１６０６は概して、物理接続を実行する。ＬＴＥ又はＬＴＥ−Ａシステムの場合、レイヤ２部１６０４は、無線リンク制御（ＲＬＣ：Radio  Link  Control）レイヤ及び媒体アクセス制御（ＭＡＣ：Media  Access  Control）レイヤを含んでよい。レイヤ３部１６０２は、無線リソース制御（ＲＲＣ：Radio  Resource  Control）レイヤを含んでよい。
【００７５】
以上、本開示の種々の態様を説明した。当然のことながら、本明細書の教示内容を多種多様な形態で具現化してよく、本明細書に開示されている如何なる特定の構造、機能、又は両者も代表的なものに過ぎない。本明細書の教示内容に基づいて、当業者には当然のことながら、本明細書に開示される態様は、他の如何なる態様からも独立に実装されてよく、これら態様のうちの２つ以上が種々組み合わされてよい。例えば、本明細書に記載された態様のうちの任意の数の態様を用いて、装置が実装されてよく、方法が実現されてよい。追加的に、本明細書に記載された態様のうちの１つ以上の追加又は代替で、他の構造、機能、又は構造と機能を用いて、このような装置が実装されるようになっていてもよいし、このような方法が実現されるようになっていてもよい。上記概念の一部の一例として、いくつかの態様においては、パルス繰り返し周波数に基づいて、同時チャネルが確立されてよい。いくつかの態様においては、パルス位置又はオフセットに基づいて、同時チャネルが確立されてよい。いくつかの態様においては、時間ホッピングシーケンスに基づいて、同時チャネルが確立されてよい。いくつかの態様において、パルス繰り返し周波数、パルス位置又はオフセット、及び時間ホッピングシーケンスに基づいて、同時チャネルが確立されてよい。
【００７６】
当業者であれば、多様な異なるテクノロジ及び技術のいずれかを使用して、情報及び信号を表わしてよいと理解するであろう。例えば、上記説明全体で言及されることがあるデータ、命令、コマンド、情報、信号、ビット、シンボル、及びチップは、電圧、電流、電磁波、磁場若しくは粒子、光場若しくは粒子、又はこれらの任意の組み合わせによって表わしてよい。
【００７７】
さらに、当業者には当然のことながら、本明細書に開示された態様に関連して説明した種々の例示的な論理ブロック、モジュール、プロセッサ、手段、回路、及びアルゴリズムステップは、電子的ハードウェア（例えば、ソースコーディング又はその他何らかの技術を用いて設計することがあるデジタル実装、アナログ実装、又はこれら２つの組み合わせ）、命令を含む種々の形態のプログラム若しくは設計コード（本明細書においては便宜上、「ソフトウェア」又は「ソフトウェアモジュール」と称されることがある）、又は両者の組み合わせとして実装されてよい。このハードウェア及びソフトウェアの互換性を明確に示すため、種々の例示的なコンポーネント、ブロック、モジュール、回路、及びステップを、概略的にそれぞれの機能の観点から上述した。そのような機能がハードウェアとして実装されるか、ソフトウェアとして実装されるかは、特定用途及びシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【００７８】
また、本明細書に開示される態様に関連して説明した種々の例示的な論理ブロック、モジュール、及び回路は、集積回路（「ＩＣ」）、アクセス端末、又はアクセスポイント内で実装される、あるいはこれらによって実行されてよい。ＩＣとしては、汎用プロセッサ、デジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、又は本明細書で説明した機能を実行するように設計されたこれらの任意の組み合わせを含み、ＩＣ内、ＩＣ外、又はその両方に存在するコード又は命令を実行してよい。汎用プロセッサは、マイクロプロセッサとしてよいが、代替として、プロセッサは、従来の任意のプロセッサ、コントローラ、マイクロコントローラ、又は状態機械としてよい。また、プロセッサは、ＤＳＰとマイクロプロセッサとの組み合わせ、複数のマイクロプロセッサ、ＤＳＰコアと協働する１つ以上のマイクロプロセッサ、又はその他任意のこのような構成である、コンピュータデバイスの組み合わせとして実装されてよい。
【００７９】
任意の開示プロセスにおけるステップの如何なる特定の順序又は階層は、実例的な手法の一例であることが了解される。設計の選好に基づいて、プロセスにおけるステップの特定の順序又は階層を、本開示の範囲内に留まりつつ、再構成してよいことが了解される。添付の方法の請求項は、種々のステップの要素を実例的な順序で示しており、提示の特定順序又は階層に限定されることを意図していない。
【００８０】
本明細書に開示される態様に関連して記載された方法又はアルゴリズムのステップを、ハードウェアにおいて直接具現化してよく、プロセッサにより実行されるソフトウェアモジュールにおいて具現化してよく、これら２つの組み合わせにおいて具現化してよい。（例えば、実行可能な命令及び関連するデータを含む）ソフトウェアモジュール及び他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、又は当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出し及び記憶媒体への情報の書き込みが可能である。実例的な記憶媒体は、プロセッサと一体化されてよい。プロセッサ及び記憶媒体は、ＡＳＩＣに存在してよい。ＡＳＩＣは、ユーザ機器に存在していてもよい。代替として、プロセッサ及び記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【００８１】
以上、種々の態様に関連して本発明を説明したが、本発明は、さらに改良可能であることが了解される。本願は、概して本発明の原理に従うとともに、本発明が関係する技術分野における既知で慣習的な実施となるような本開示からの逸脱を含む本発明の任意の変形、使用、又は適応を網羅することを意図している。
【００８２】
本明細書を通して、「一実施形態」又は「実施形態」とは、その実施形態に関連して説明した特定の特徴、構造、又は特性が少なくとも１つの実施形態に含まれることを意味する。したがって、本明細書を通して様々な箇所における「一実施形態では」、「一態様では」、又は「実施形態では」という句の出現は、必ずしもすべて同じ実施形態に言及しているわけではない。さらに、特定の特徴、構造、又は特性を、１つ以上の実施形態において任意の適切な方法で組み合わせることができる。
【００８３】
本開示で使用されるように、いくつかの実施形態では、用語「コンポーネント」、「システム」、「インタフェース」などは、コンピュータ関連エンティティ又は１つ以上の特定の機能を有する作動装置に関連したエンティティを指すあるいは含むことを意図している。ここで、エンティティは、ハードウェア、ハードウェアとソフトウェアの組み合わせ、ソフトウェア、又は実行中のソフトウェア、及び/又はファームウェアのいずれかとすることができる。一例として、コンポーネントは、プロセッサ上で動作するプロセス、プロセッサ、オブジェクト、実行可能ファイル、実行スレッド、コンピュータ実行可能命令、プログラム、及び/又はコンピュータとすることができるが、これに限定されない。限定ではなく例として、サーバ上で動作するアプリケーションとサーバとの両方が、コンポーネントとすることができる。
【００８４】
１つ以上のコンポーネントは、プロセス及び/又は実行スレッド内に常駐することができ、コンポーネントは、1つのコンピュータ上にローカライズされ、及び/又は２つ以上のコンピュータ間に分散されることができる。追加的に、これらのコンポーネントは、様々なデータ構造が記憶された様々なコンピュータ可読媒体から実行することができる。コンポーネントは、１つ以上のデータパケット（例えば、ローカルシステム、分散システム、及び/又は信号を介した他のシステムを備えたインターネット等のネットワークを介して、別のコンポーネントと相互作用する１つのコンポーネントからのデータ）を有する信号に従うなどにより、ローカル及び/又はリモートプロセスを介して通信することができる。別の例として、コンポーネントは、１つ以上のプロセッサによって実行されるソフトウェアアプリケーション又はファームウェアアプリケーションによって動作する、電気又は電子回路によって動作する機械部品によって提供される特定の機能を備えた装置とすることができる。ここで、プロセッサは、この装置の内側又は外側にあるようにすることができ、ソフトウェア又はファームウェアアプリケーションの少なくとも一部を実行することができる。さらに別の例として、コンポーネントは、機械部品なしで電子コンポーネントを介して特定の機能を提供する装置とすることができ、電子コンポーネントは、電子コンポーネントの機能の少なくとも一部を与えるソフトウェア又はファームウェアを実行するプロセッサをその中に含むことができる。一態様では、コンポーネントは、例えばクラウドコンピューティングシステム内の仮想マシンを介して電子コンポーネントをエミュレートすることができる。様々なコンポーネントを別々のコンポーネントとして図示しているが、例示の実施形態から逸脱することなく、複数のコンポーネントを単一のコンポーネントとして実装することができ、又は単一のコンポーネントを複数のコンポーネントとして実装することができると理解される。
【００８５】
追加的に、用語「例」及び「例示的」は、本明細書では、インスタンス又は実例としての役割を果たすことを意味するのに使用される。本明細書で「例」又は「例示的」として説明した任意の実施形態又は設計は、必ずしも他の実施形態又は設計よりも好ましいあるいは有利であると解釈されるべきではない。むしろ、用語についての例又は例示の使用は、具体的な方法で概念を提示することを意図している。本出願で使用されるように、用語「又は」は排他的「又は」ではなく包括的「又は」を意味することを意図している。すなわち、特記されない限り、又は文脈から明らかでない場合、「ＸはＡ又はＢを用いる」は、自然な包括的置換のいずれかを意味することを意図している。つまり、ＸがＡを用いる、ＸがＢを用いる、あるいはＸがＡとＢの両方を用いる場合、このような例のいずれにおいても「ＸはＡ又はＢを用いる」ということが満たされる。追加的に、本出願及び添付の特許請求の範囲で使用されるように、冠詞「ａ」及び「ａｎ」は、特記されない限り、又は単一の形式に向けられていると文脈から明らかでない場合、「１つ以上」を意味すると一般に解釈されるべきである。
【００８６】
さらに、「モバイルデバイス機器」、「移動局」、「移動体」、「加入者局」、「アクセス端末」、「端末」、「ハンドセット」、「通信デバイス」、「モバイルデバイス」（及び／又は同様の専門用語を表す用語）等の用語は、データ、制御、音声、ｓビデオ、サウンド、ゲーム、又は実質的に任意のデータストリーム若しくはシグナリングストリームを受信又は搬送するために無線通信サービスの加入者又は移動体デバイスによって利用される無線デバイスを指すことができる。前述の用語は、本明細書において、また関連する図面を参照して交換可能に利用される。同様に、「アクセスポイント（ＡＰ）」、「基地局（ＢＳ）」、「ＢＳトランシーバ」、ＢＳデバイス、セルサイト」、セルサイトデバイス、「Ｎｏｄｅ  Ｂ（ＮＢ）」、「進化型Ｎｏｄｅ  Ｂ（ｅＮｏｄｅ  Ｂ）」、「ホーム  Ｎｏｄｅ  Ｂ（ＨＮＢ）」等の用語は、アプリケーション内で交換可能に利用され、データ、制御、音声、ビデオ、サウンド、ゲーム、又は実質的に任意のデータストリーム若しくはシグナリングストリームを１つ以上の加入者局から送信及び／又は受信する無線ネットワークコンポーネント又は設備を指す。データ及びシグナリングストリームは、パケット化された、又はフレームベースのフローとすることができる。
【００８７】
さらに、「デバイス」、「通信デバイス」、「モバイルデバイス」、「加入者」、「顧客エンティティ」、「消費者」、「顧客エンティティ」、「エンティティ」等の用語は、文脈がこれらの用語の間で特定の区別をすることが当然であるとしない限り、全体にわたって交換可能に使用される。そのような用語は、人工知能（例えば、複雑なヌメロロジ的形式に基づく推論を行う能力）によってサポートされる人間のエンティティ又は自動化されたコンポーネントを指すことができ、シミュレートされた視覚、音声認識などを提供することができると理解されたい。
【００８８】
本明細書で説明した実施形態は、限定ではないが、ワイヤレス・フィデリティ（Ｗｉ−Ｆｉ：wireless  fidelity）、グローバル・システム・フォー・モバイル・コミュニケーションズ（ＧＳＭ（登録商標）：global  system  for  mobile  communications）、ユニバーサル移動体通信システム（ＵＭＴＳ：universal  mobile  telecommunications  system）、ワールドワイド・インターオペラビリティ・フォー・マイクロウェーブ・アクセス（ＷｉＭＡＸ：worldwide  interoperability  for  microwave  access）、拡張型汎用パケット無線サービス（ＧＰＲＳ：enhanced  general  packet  radio  service）、第３世代パートナーシッププロジェクト（３ＧＰＰ）ロング・ターム・エボリューション（ＬＴＥ）、第３世代パートナーシッププロジェクト２（３ＧＰＰ２）ウルトラ・モバイル・ブロードバンド（ＵＭＢ）、高速パケットアクセス（ＨＳＰＡ）、Ｚ−Ｗａｖｅ、Ｚｉｇｂｅｅ及び他の８０２．ＸＸ無線技術及び／又は従来の電気通信技術を含む、実質的に任意の無線通信技術において利用されることができる。
【００８９】
５Ｇシステムのための２ステージ下り制御チャネルを容易にするためのシステム、方法、及び／又は機械可読記憶媒体が本明細書で提供される。ＬＴＥ、ロング・ターム・エボリューション・アドバンスト（ＬＴＥ−Ａ）、高速パケットアクセス（ＨＳＰＡ）などの従来の無線システムは、下り制御チャネルに対して固定変調フォーマットを使用する。固定変調フォーマットは、下り制御チャネルフォーマットが常に単一タイプの変調（例えば、直交位相シフトキーイング（ＱＰＳＫ））で符号化され、固定コードレートを有することを示唆している。さらに、前方エラー訂正（ＦＥＣ）符号器は、レートマッチングを伴う１／３の固定マザーコードレートを使用する。この設計はアカウントチャネルの統計を考慮していない。例えば、ＢＳデバイスからモバイルデバイスへのチャネルが非常に良好である場合、制御チャネルは、この情報を使用して変調、符号化レートを調整することができず、それにより、制御チャネル上に電力を不必要に割り当ててしまう。同様に、ＢＳからモバイルデバイスへのチャネルが不良である場合、モバイルデバイスは、固定変調及びコードレートのみで受信された情報をデコードすることができない可能性がある。本明細書で使用するように、「推論する」又は「推論」という用語は、一般に、イベント及び／又はデータを介して捕捉されるような一連の観察による、システム、環境、ユーザ、及び／又は意図についての推論又は推論状態のプロセスを指す。捕捉されたデータ及びイベントは、ユーザデータ、デバイスデータ、環境データ、センサからのデータ、センサデータ、アプリケーションデータ、暗黙データ、明示データなどを含むことができる。推論は、例えば、特定のコンテキスト（context）又はアクション（action）を識別するために使用されることができる、あるいはデータ及びイベントの考慮に基づいて、関心のある状態についての確率分布を生成することができる。
【００９０】
推論は、一組のイベント及び／又はデータからより高いレベルのイベントを構成するために使用される技術を指すこともできる。そのような推論は、一連の観察されたイベント及び／又は記憶されたイベントデータから、新しいイベント又はアクションの構築、イベントが近い時間的近接度で相関するかどうか、並びにイベント及びデータが１つ以上のイベント及びデータソースに由来するかどうかをもたらす。様々な分類方式及び／又はシステム（例えば、サポートベクトルマシン、ニューラルネットワーク、エキスパートシステム、ベイジアンネットワーク（Besian  belief  networks）、ファジーロジック、及びデータ融合エンジン）は、開示された主題に関連して自動及び／又は推論された活動に関連して使用されることができる。
【００９１】
追加的に、さまざまな実施形態は、ソフトウェア、ファームウェア、ハードウェア、又はそれらの任意の組み合わせを生成して、開示された主題をコンピュータが実装するように制御するための標準的なプログラミング及び／又はエンジニアリング技術を使用して、方法、装置、又は製品として実装されることができる。本明細書で使用されるように用語「製品」は任意のコンピュータ可読デバイス、機械可読デバイス、コンピュータ可読キャリア、コンピュータ可読媒体、機械可読媒体、コンピュータ可読（又は機械可読）記憶／通信媒体からアクセス可能なコンピュータプログラムを包含することを意図している。例えば、コンピュータ可読媒体は、限定ではないが、磁気記憶デバイス（例えば、ハードディスク、フロッピーディスク、磁気ストリップ）、光ディスク（例えば、コンパクトディスク（ＣＤ）、デジタルビデオディスク（ＤＶＤ）、ブルーレイ（登録商標）ディスク（ＢＤ））、スマートカード、フラッシュメモリデバイス（例えば、カード、スティック、キードライブ）、及び／又は記憶デバイス及び／又は上記のコンピュータ可読媒体のいずれかをエミュレートする仮想デバイスを含むことができる。もちろん、当業者であれば、様々な実施形態の範囲又は精神から逸脱することなく、この構成に多くの変更を加えることができると認識するであろう。
【００９２】
要約書に記載されているものを含め、本開示の図示された実施形態の上述の説明が、網羅的である、あるいは開示された実施形態を開示された厳密な形態に限定することを意図していない。特定の実施形態及び実施例は、例示することを目的として本明細書で説明しているが、当業者が認識できるように、そのような実施形態及び例の範囲内であると考えられる様々な変更が可能である。
【００９３】
この点に関して、主題を様々な実施形態及び対応する図に関連して本明細書に記載しているが、適用可能であれば、他の同様の実施形態を使用することができる、あるいは開示された主題を逸脱することなく、開示された主題と同じ、同様の、代替となる、若しくは代用となる機能を実行するための変更及び追加を、説明した実施形態になすことができると、理解されるべきである。したがって、開示された主題は、本明細書で説明したいずれかの単一の実施形態に限定されるべきではなく、むしろ以下の添付の特許請求の範囲に従った広さ及び範囲で解釈されるべきである。
【図１】
2018061247.tif 000007
【図２】
2018061247.tif 000008
【図３】
2018061247.tif 000009
【図４】
2018061247.tif 000010
【図５】
2018061247.tif 000011
【図６】
2018061247.tif 000012
【図７】
2018061247.tif 000013
【図８】
2018061247.tif 000014
【図９】
2018061247.tif 000015
【図１０】
2018061247.tif 000016
【図１１】
2018061247.tif 000017
【図１２】
2018061247.tif 000018
【図１３】
2018061247.tif 000019
【図１４】
2018061247.tif 000020
【図１５】
2018061247.tif 000021
【図１６】
2018061247.tif 000022
【図１７】
2018061247.tif 000023
【図１８】
2018061247.tif 000024
【外国語明細書】
2018061247000001.pdf